(57)【特許請求の範囲】
【請求項１】
通信に使用するためのデフォルトコンフィギュレーションのセットを記憶するためのメモリと、
無線装置との通信に使用するためのコンフィギュレーションを選択し、前記選択されたコンフィギュレーションのパラメーター値と、デフォルトコンフィギュレーションのデフォルトパラメーター値との間に差異があれば前記差異を確認するプロセッサーであって、前記デフォルトコンフィギュレーションは、前記デフォルトコンフィギュレーションのセットにおいて、前記選択されたコンフィギュレーションに最も接近して一致する、前記選択されたコンフィギュレーションとのパラメーター値の差異が最も少ない前記デフォルトコンフィギュレーションのセットの中から決定され、各デフォルトコンフィギュレーションはデフォルトパラメーター値の別個のセットを含む、および前記選択されたコンフィギュレーションを伝達するために、前記デフォルトコンフィギュレーションのためのアイデンティティと、前記差異があれば前記差異を送信する、プロセッサーと、
を備えた装置。
【請求項２】
各デフォルトコンフィギュレーションは情報エレメントのそれぞれのセットのためのデフォルト値に関連し、前記デフォルト値は前記デフォルトコンフィギュレーションのためのパラメーター値のセットである、請求項１の装置。
【請求項３】
前記プロセッサーは、前記選択されたコンフィギュレーションと前記デフォルトコンフィギュレーションにおいて異なる値を有する情報エレメントを確認する請求項２の装置。
【請求項４】
前記プロセッサーは、前記デフォルトコンフィギュレーションのための前記アイデンティティと異なる値を有する前記情報エレメントを用いてリコンフィギュレーションメッセージを形成する、請求項３の装置。
【請求項５】
前記プロセッサーはさらに前記無線装置に固有の少なくとも１つのパラメーターを用いて前記リコンフィギュレーションメッセージを形成する、請求項４の装置。
【請求項６】
前記選択されたコンフィギュレーションと前記デフォルトコンフィギュレーションとの間に差異がないなら、前記プロセッサーは前記デフォルトコンフィギュレーションのための前記アイデンティティのみを送信する、請求項１の装置。
【請求項７】
前記プロセッサーは前記デフォルトコンフィギュレーションの代わりに前記選択されたコンフィギュレーションを送信し、前記差異がしきい値を越えるなら前記差異を送信する、請求項１の装置。
【請求項８】
前記プロセッサーは通信要件の変化に応答して前記コンフィギュレーションを選択する、請求項１の装置。
【請求項９】
前記通信要件の変化は、データレートの変化、サービスにおける変化、サービスの質（ＱｏＳ）における変化またはそれらの組み合わせによる、請求項８の装置。
【請求項１０】
前記プロセッサーは接続モード内の状態の変化に応答して前記コンフィギュレーションを選択する、請求項１の装置。
【請求項１１】
前記プロセッサーはアイドルモードから接続モードへの送信に応答して前記コンフィギュレーションを選択する、請求項１の装置。
【請求項１２】
前記プロセッサーは第１の無線アクセス技術から第２の無線アクセス技術へのハンドオーバーに応答して前記コンフィギュレーションを選択する、請求項１の装置。
【請求項１３】
無線装置との通信のために使用するコンフィギュレーションを選択することと、
通信に使用する選択されたコンフィギュレーションに最も近接して一致するデフォルトコンフィギュレーションのセットの中から決定されたデフォルトコンフィギュレーションを識別し、さらに前記選択されたコンフィギュレーションと前記デフォルトコンフィギュレーションとの間に差異があれば該差異を識別することであって、各デフォルトコンフィギュレーションは通信に使用するパラメーター値のそれぞれのセットに関連する、識別することと、
前記選択されたコンフィギュレーションと前記デフォルトコンフィギュレーションとの間に差異があれば前記差異を確認することと、
前記選択されたコンフィギュレーションを伝達するために、前記デフォルトコンフィギュレーションのためのアイデンティティと、前記差異があれば前記差異を送信することと、
を備えた方法。
【請求項１４】
前記差異を前記確認することは、前記選択されたコンフィギュレーションと前記デフォルトコンフィギュレーションにおいて異なる値を有する情報エレメントを確認することを備えた、請求項１３の方法。
【請求項１５】
前記デフォルトコンフィギュレーションのための前記アイデンティティと、異なる値を有する前記情報エレメントを用いてリコンフィギュレーションメッセージを形成することをさらに備えた、請求項１４の方法。
【請求項１６】
前記コンフィギュレーションを前記選択することは、データレートの変化、サービスの変化、サービスの質（ＱｏＳ）の変化、接続モード内の状態の変化、アイドルモードから前記接続モードへの遷移、第１の無線アクセス技術から第２の無線アクセス技術へのハンドオーバーまたはそれらの組み合わせに起因する通信要件の変化に応答して前記コンフィギュレーションを選択することを備えた、請求項１３の方法。
【請求項１７】
通信に使用する選択されたコンフィギュレーションに最も近接して一致するデフォルトコンフィギュレーションのセットの中から決定されたデフォルトコンフィギュレーションを識別し、さらに、前記選択されたコンフィギュレーションと前記デフォルトコンフィギュレーションとの間に差異があれば前記差異を識別する手段であって、各デフォルトコンフィギュレーションは通信に使用するパラメーター値のそれぞれのセットに関連する、手段と、
前記選択されたコンフィギュレーションと前記デフォルトコンフィギュレーションとの間に差異があれば、前記差異を確認する手段と、
前記選択されたコンフィギュレーションを伝達するために、前記デフォルトコンフィギュレーションのためのアイデンティティと、前記差異があれば前記差異を送信する手段と、
を備えた装置。
【請求項１８】
前記差異を確認するための前記手段は、前記選択されたコンフィギュレーションと前記デフォルトコンフィギュレーションにおいて異なる値を有する情報エレメントを確認する手段を備えた、請求項１７の装置。
【請求項１９】
前記デフォルトコンフィギュレーションのための前記アイデンティティと、異なる値を有する前記情報エレメントを用いてリコンフィギュレーションメッセージを形成する手段をさらに備えた、請求項１８の装置。
【請求項２０】
通信に使用する選択されたコンフィギュレーションに最も近接して一致するデフォルトコンフィギュレーションのセットの中から決定されたデフォルトコンフィギュレーションを識別し、さらに、前記選択されたコンフィギュレーションと前記デフォルトコンフィギュレーションとの間に差異があれば前記差異を識別することであって、各デフォルトコンフィギュレーションは通信に使用するためのパラメーター値のそれぞれのセットに関連する、識別することと、
前記選択されたコンフィギュレーションを伝達するために、前記デフォルトコンフィギュレーションのためのアイデンティティと、前記差異があれば前記差異を送信する
ように動作可能な命令を記憶するプロセッサー読み取り可能媒体。
【請求項２１】
前記選択されたコンフィギュレーションと前記デフォルトコンフィギュレーションにおいて異なる値を有する情報エレメントを確認し、
前記デフォルトコンフィギュレーションの前記アイデンティティと、異なる値を有する前記情報エレメントを用いてリコンフィギュレーションメッセージを形成するように動作可能な命令をさらに記憶する、請求項２０のプロセッサー読み取り可能媒体。
【請求項２２】
デフォルトコンフィギュレーションのセットを記憶するためのメモリであって、各デフォルトコンフィギュレーションが、通信に使用するパラメーター値のそれぞれのセットに関連する、メモリと、
接続モードで動作している無線装置のための通信要件の変化の表示を受信し、前記通信要件に最も近接して一致する前記デフォルトコンフィギュレーションのセットの中から決定されたデフォルトコンフィギュレーションを選択し、前記選択されたデフォルトコンフィギュレーションと前記通信要件との間に差異があれば、前記差異を確認し、前記デフォルトコンフィギュレーションと、前記差異があれば前記差異を前記無線装置に送信するプロセッサーと、
を備えた装置。
【請求項２３】
前記通信要件の変化は、前記接続モード内の状態の変化による、請求項２２の装置。
【請求項２４】
前記通信要件の変化は、データレートの変化、サービスの変化、サービスの質の変化（ＱｏＳ）またはそれらの組み合わせによる、請求項２２の装置。
【請求項２５】
接続モードで動作している無線装置のための通信要件の変化の表示を受信することと、
前記通信要件に最も近接して一致するデフォルトコンフィギュレーションのセットの中から決定されたデフォルトコンフィギュレーションを選択することであって、各デフォルトコンフィギュレーションは通信に使用するパラメーター値のそれぞれのセットに関連する、選択することと、
前記デフォルトコンフィギュレーションと、前記デフォルトコンフィギュレーションと前記通信要件との間に差異があれば前記差異を前記無線装置に送信することと、
を備えた方法。
【請求項２６】
前記通信要件における変化の前記表示を前記受信することは、データレートの変化、サービスの変化、サービスの質の変化（ＱｏＳ）、前記接続モード内の状態の変化、またはそれらの組み合わせにより前記通信要件の変化の前記表示を受信することを備えた、請求項２５の方法。
【請求項２７】
接続モードで動作している無線装置のための通信要件の変化の表示を受信する手段と、
前記通信要件に最も近接して一致するデフォルトコンフィギュレーションのセットの中から決定されたデフォルトコンフィギュレーションを選択する手段であって、各デフォルトコンフィギュレーションは通信に使用するパラメーター値のそれぞれのセットに関連する、手段と、
前記デフォルトコンフィギュレーションと、前記デフォルトコンフィギュレーションと前記通信要件との間に差異があれば前記差異を前記無線装置に送信する手段と、
を備えた装置。
【請求項２８】
デフォルトコンフィギュレーションのセットを記憶するためのメモリであって、各デフォルトコンフィギュレーションが通信に使用するパラメーター値のそれぞれのセットに関連する、メモリと、
デフォルトコンフィギュレーションのためのアイデンティティを含むメッセージを受信し、前記アイデンティティに基づいて前記メモリから前記デフォルトコンフィギュレーションを取得し、前記メッセージが前記デフォルトコンフィギュレーションと選択されたコンフィギュレーションとの間の差異を含むかどうかを確認するプロセッサーであって、前記デフォルトコンフィギュレーションは、前記選択されたコンフィギュレーションに最も近接して一致する、前記選択されたコンフィギュレーションとのパラメーター値の差異が最も少ない前記デフォルトコンフィギュレーションのセットの中から決定され、各デフォルトコンフィギュレーションはデフォルトパラメーター値の別個のセットを含む、プロセッサーと、
ここにおいて、前記デフォルトコンフィギュレーションは、前記選択されたコンフィギュレーションに最も近接して一致するデフォルトコンフィギュレーションのセットの中から決定される、
を備えた装置。
【請求項２９】
前記メッセージは前記アイデンティティを含み、前記差異を含まず、前記プロセッサーは通信のために前記デフォルトコンフィギュレーションを使用する、請求項２８の装置。
【請求項３０】
プロセッサーは通信のために前記差異を備えた前記デフォルトコンフィギュレーションを使用する、請求項２８の装置。
【請求項３１】
各デフォルトコンフィギュレーションは情報エレメントのそれぞれのセットのためのデフォルト値に関連し、前記デフォルト値は、前記デフォルトコンフィギュレーションのためのパラメーター値のセットである、請求項２８の装置。
【請求項３２】
前記プロセッサーは前記メッセージから前記差異を含む情報エレメントを抽出し、前記デフォルトコンフィギュレーション内の情報エレメントのためのデフォルト値を前記抽出した情報エレメントの値と交換し、前記メッセージで送信されなかった前記デフォルトコンフィギュレーション内の情報エレメントのためのデフォルト値を保持する、請求項３１の装置。
【請求項３３】
前記プロセッサーは通信要件の変化に応答して前記メッセージを受信する、請求項２８の装置。
【請求項３４】
前記プロセッサーは接続モード内の状態の変化に応答して前記メッセージを受信する、請求項２８の装置。
【請求項３５】
前記プロセッサーはアイドルモードから接続モードへの送信に応答して前記メッセージを受信する、請求項２８の装置。
【請求項３６】
前記プロセッサーは第１の無線アクセス技術から第２の無線アクセス技術へのハンドオーバーに応答して前記メッセージを受信する、請求項２８の装置。
【請求項３７】
デフォルトコンフィギュレーション及び差異があれば、前記差異のためのアイデンティティを有するメッセージを受信することと、
選択されたコンフィギュレーションと前記デフォルトコンフィギュレーションとの間に差異があれば、前記差異を生じた通信に使用する前記選択されたコンフィギュレーションに最も近接して一致するデフォルトコンフィギュレーションのセットの中から決定された前記デフォルトコンフィギュレーションを取得することであって、各デフォルトコンフィギュレーションは通信に使用するパラメーター値のそれぞれのセットに関連する、取得することと、
前記デフォルトコンフィギュレーションのためのパラメーター値を、もしあれば前記メッセージで送信された前記差異と交換することと、
を備えた方法。
【請求項３８】
前記デフォルトコンフィギュレーションのための前記パラメーター値を前記交換することは、前記メッセージから、前記差異を含む情報エレメントを抽出することと、前記デフォルトコンフィギュレーション内の情報エレメントのためのデフォルト値を前記抽出した情報エレメントの値と交換することと、
前記メッセージにおいて送信されなかった前記デフォルトコンフィギュレーション内の情報エレメントのためのデフォルト値を保持することと
を備えた、請求項３７の方法。
【請求項３９】
前記メッセージを前記受信することは、データレートの変化、サービスの変化、サービスの質（ＱｏＳ）の変化、接続モード内の状態の変化、アイドルモードから前記接続モードへの遷移、第１の無線アクセス技術から第２の無線アクセス技術へのハンドオーバー、またはそれらの組み合わせに起因する通信要件の変化に応答して前記デフォルトコンフィギュレーションのための前記アイデンティティを有する前記メッセージを受信することを備えた、請求項３７の方法。
【請求項４０】
デフォルトコンフィギュレーションおよび差異があれば前記差異のためのアイデンティティを有するメッセージを受信する手段と、
前記アイデンティティに基づいて、選択されたコンフィギュレーションと前記デフォルトコンフィギュレーションとの間に差異があれば前記差異を生じた通信に使用する前記選択されたコンフィギュレーションに最も近接して一致するデフォルトコンフィギュレーションのセットの中から決定された前記デフォルトコンフィギュレーションを取得する手段であって、各デフォルトコンフィギュレーションは通信に使用するパラメーター値のそれぞれのセットに関連する、手段と、
前記デフォルトコンフィギュレーションのためのパラメーター値を、もしあれば前記メッセージで送信された前記差異と交換する手段と、
を備えた装置。
【請求項４１】
前記デフォルトコンフィギュレーションの前記パラメーター値を交換する前記手段は、前記メッセージから前記差異を含む情報エレメントを抽出する手段と、
前記デフォルトコンフィギュレーション内の情報エレメントのためのデフォルト値を前記抽出された情報エレメントのための値と交換する手段と、
前記メッセージで送信されなかった前記デフォルトコンフィギュレーション内の情報エレメントのためのデフォルト値を保持する手段と
を備えた、請求項４０の装置。
【請求項４２】
デフォルトコンフィギュレーションおよび差異があれば前記差異のためのアイデンティティを有するメッセージを受信し、
前記アイデンティティに基づいて選択されたコンフィギュレーションと前記デフォルトコンフィギュレーションとの間に差異があれば前記差異を生じた通信に使用する前記選択されたコンフィギュレーションに最も近接して一致するデフォルトコンフィギュレーションのセットの中から決定された前記デフォルトコンフィギュレーションを取得し、各デフォルトコンフィギュレーションは通信に使用するパラメーター値のそれぞれのセットに関連する、
前記メッセージが前記デフォルトコンフィギュレーションと選択されたコンフィギュレーションとの間の差異を含むかどうかを確認し、
前記デフォルトコンフィギュレーションのためのパラメーター値をもしあれば前記メッセージで送信された前記差異と交換する
ように無線装置内で動作可能な命令を記憶するためのプロセッサー読み取り可能媒体。
【請求項４３】
前記差異を含む情報エレメントを前記メッセージから抽出し、
前記デフォルトコンフィギュレーション内の情報エレメントのためのデフォルト値を前記抽出された情報エレメントのための値と交換し、
前記メッセージで送信されなかった前記デフォルトコンフィギュレーション内の情報エレメントのためのデフォルト値を保持する
ように動作可能な命令をさらに記憶する、請求項４２のプロセッサー読み取り可能媒体。
【請求項４４】
デフォルトコンフィギュレーションのセットを記憶するためのメモリであって、各デフォルトコンフィギュレーションが通信に使用するパラメーター値のそれぞれのセットに関連する、メモリと、
接続モードで動作している無線装置のための通信要件内の変化に応答してリコンフィギュレーションメッセージを受信し、前記リコンフィギュレーションメッセージからデフォルトコンフィギュレーションのためのアイデンティティを抽出し、前記アイデンティティに基づいて前記メモリから前記デフォルトコンフィギュレーションを取得するプロセッサーであって、前記取得されたデフォルトコンフィギュレーションは、前記通信要件に最も近接して一致する前記デフォルトコンフィギュレーションのセットの中から決定され、前記デフォルトコンフィギュレーションと前記通信要件との間の差異を前記リコンフィギュレーションメッセージから取得し、前記取得した差異を通信のために使用する、プロセッサーと、
を備えた装置。
【請求項４５】
前記通信要件内の変化は前記接続モード内の状態の変化による、請求項４４の装置。
【請求項４６】
前記通信要件の変化はデータレートの変化、サービスの変化、サービスの質（ＱｏＳ）の変化、またはそれらの組み合わせによる、請求項４４の装置。
【請求項４７】
接続モードで動作している無線装置のための通信要件の変化に応答してリコンフィギュレーションメッセージを受信することと、
前記リコンフィギュレーションメッセージからデフォルトコンフィギュレーションのためのアイデンティティを抽出することであって、前記デフォルトコンフィギュレーションはデフォルトコンフィギュレーションのセットからのものであり、各デフォルトコンフィギュレーションは通信に使用するパラメーター値のそれぞれのセットに関連する、抽出することと、
前記アイデンティティに基づいてメモリから前記デフォルトコンフィギュレーションを取得することであって、前記取得されたコンフィギュレーションは、前記通信要件に最も近接して一致する前記デフォルトコンフィギュレーションのセットから決定される、取得することと、
前記デフォルトコンフィギュレーションと前記通信要件との間に差異があれば前記差異を前記リコンフィギュレーションメッセージから取得し、前記取得した差異を通信に使用することと、
を備えた方法。
【請求項４８】
接続モードで動作している無線装置のための通信要件の変化に応答してリコンフィギュレーションメッセージを受信する手段と、
前記リコンフィギュレーションメッセージからデフォルトコンフィギュレーションのためのアイデンティティを抽出する手段であって、前記デフォルトコンフィギュレーションはデフォルトコンフィギュレーションのセットからのものであり、各デフォルトコンフィギュレーションは通信に使用するパラメーター値のそれぞれのセットに関連する、手段と、
前記アイデンティティに基づいてメモリから前記デフォルトコンフィギュレーションを取得する手段と、
前記取得されたデフォルトコンフィギュレーションと前記通信要件との間に差異があれば前記差異を確認する手段であって、前記取得されたデフォルトコンフィギュレーションは、前記通信要件に最も近接して一致するデフォルトコンフィギュレーションのセットの中から決定される、手段と、
前記デフォルトコンフィギュレーションと前記通信要件との間に差異があれば前記差異を前記リコンフィギュレーションメッセージから取得し、前記取得した差異を通信のために使用する手段と、
を備えた装置。
【請求項４９】
請求項１３乃至１６、３７乃至３８の記載のうちの１つに従って、方法をコンピュータに実行させるプログラム。
【請求項５０】
記憶されたプログラムを有するコンピュータ読み取り可能記憶装置であって、前記プログラムは、請求項１３乃至１６、３７乃至３８の記載のうちの１つに従って、方法をコンピュータに実行させる、コンピュータ読み取り可能記憶装置。
【発明の詳細な説明】
【関連出願の記載】
【０００１】
この特許出願は、この特許出願の譲受人に譲渡され、参照することによりここに組み込まれる、２００４年８月１２日に出願された「無線通信システムにおいて差分符号化を備えたデフォルトコンフィギュレーション］(Default Configurations with Differential Encoding in a Wireless Communication System)というタイトルの米国仮出願第６０／６０１，４２９の優先権を主張する。
【技術分野】
【０００２】
この開示は一般に通信に関し、特に無線通信システムにおいて呼を構成および再構成するための技術に関する。
【背景技術】
【０００３】
無線通信システムは、音声、ビデオ、データ、メッセージング等のような種々の通信サービスを提供するために広範囲に展開される。これらのシステムは利用可能なシステムリソース（例えば、帯域幅および／または送信電力）を共有することにより、複数のユーザーとの通信をサポートすることができる多重アクセスシステムであってよい。
【０００４】
無線装置（例えば、携帯電話）は、いつなんどきでも、アイドルモードまたは接続されたモードのようないくつかのモードの１つで動作してもよい。アイドルモードにおいて、無線装置は、外からかかってきた電話の存在を無線装置に通報するページメッセージおよび／またはシステム情報および無線装置のための他の情報を運ぶオーバーヘッドメッセージのためのページングチャネルを監視してもよい。接続されたモードにおいて、無線装置は、例えば音声またはデータ呼に対して、データをシステム内の１つ以上の基地局とアクティブに交換してもよい。
【０００５】
無線装置は、アイドルモードから接続されたモードに遷移するときコンフィギュレーションを実行してもよく、接続されたモードにある間リコンフィギュレーション(reconfiguration)を実行してもよい。コンフィギュレーションは通信に使用するための種々のパラメーターの設定を指す。リコンフィギュレーションは通信に使用するためのパラメーターの変更を指す。リコンフィギュレーションは、例えば、データレートを変更するために、サービスを変更または追加するために、既存のサービスに対してサービスの質（ＱｏＳ）を変更するために、（例えばシステム負荷のバランスを取るために）１つの周波数から他の周波数にハンドオーバーするために、（例えば、無線装置において電力を節約するために）接続されたモード内の状態を変更するために等のように種々の理由に対して実行されてもよい。
【０００６】
リコンフィギュレーションの場合、無線装置と無線システムは、ダウンリンクおよびアップリンク上の送信に使用するために種々のパラメーターを運ぶためにシグナリングまたはメッセージを典型的に交換する。これらのパラメーターは、各リンクに使用するために、例えば、チャネル、データレート、符号化スキーム、データブロックサイズ等を示してもよい。特に交換すべき多くのパラメーターがある場合、リコンフィギュレーションメッセージは非常に長い。長いリコンフィギュレーションメッセージは、送信するためにおよびおそらく成功裏に受信するために再送信するために長い時間を典型的に必要とし、価値のある無線リソースを消費し、リコンフィギュレーションのための長い遅延を生じる。これらはすべて望ましくない。
【０００７】
それゆえ、無線通信システムにおいてコンフィギュレーションおよびリコンフィギュレーションをより効率的に実行するための技術の必要性がある。
【発明の概要】
【０００８】
呼（例えば、音声および／またはデータ呼）を効率的に構成および再構成するための技術がここに記載される。これらの技術はデフォルトコンフィギュレーションおよび差分符号化のセットを用いて、送信すべきシグナリングの量を低減し、呼を構成または再構成する。デフォルトコンフィギュレーションは、無線システムおよび無線装置の両方により先験的に知られているコンフィギュレーションであり、コンフィギュレーションは通信に使用するためのパラメーターのセットのための値のセットである。デフォルトコンフィギュレーションのセットは、無線システムおよび無線装置の両方によりサポートされる基準で定義されてもよい。差分符号化は、デフォルトコンフィギュレーションと共に使用するために選択されたコンフィギュレーションおよびもしあれば、選択されたコンフィギュレーションとデフォルトコンフィギュレーションとの間の差異を伝達することを指す。
【０００９】
この発明の一実施形態に従って、メモリとプロセッサーを含む装置が記載される。メモリはデフォルトコンフィギュレーションのセットを記憶する。各デフォルトコンフィギュレーションは、通信に使用するためのパラメーター値のそれぞれのセットに関連している。プロセッサーは無線装置との通信に使用するためのコンフィギュレーションを選択し、もしあれば、選択されたコンフィギュレーションとデフォルトコンフィギュレーションとの間の差異を確認し、デフォルトコンフィギュレーションともしあれば差異のためのアイデンティティを送信し、選択されたコンフィギュレーションを伝達する。
【００１０】
他の実施形態によれば、無線装置との通信に使用するためのコンフィギュレーションが選択される方法が提供される。デフォルトコンフィギュレーションはデフォルトコンフィギュレーションのセットの中から識別される。もしあれば、選択されたコンフィギュレーションとデフォルトコンフィギュレーションとの間の差異が確認される。もしあれば、デフォルトコンフィギュレーションと差異のためのアイデンティティが送信され選択されたコンフィギュレーションが伝達される。
【００１１】
さらに他の実施形態によれば、無線装置との通信に使用するためのコンフィギュレーションを選択するための手段と、デフォルトコンフィギュレーションのセットの中からデフォルトコンフィギュレーションを識別する手段と、もしあれば、選択されたコンフィギュレーションとデフォルトコンフィギュレーションとの間の差異を確認する手段と、もしあればデフォルトコンフィギュレーションと差異のためのアイデンティティを送信し、選択されたコンフィギュレーションを伝達する手段を含む装置が記載される。
【００１２】
さらに他の実施形態によれば、無線装置との通信に使用するためのコンフィギュレーションを選択し、デフォルトコンフィギュレーションの中からデフォルトコンフィギュレーションを識別し、もしあれば選択されたコンフィギュレーションとデフォルトコンフィギュレーションとの間の差異を確認し、デフォルトコンフィギュレーションと、もしあれば差異のためのアイデンティティを送信し選択されたコンフィギュレーションを伝達するように動作可能な命令を記憶するプロセッサー読み取り可能媒体が記載される。
【００１３】
さらに他の実施形態によれば、メモリとプロセッサーを含む装置が記載される。メモリはデフォルトコンフィギュレーションのセットを記憶する。プロセッサーは、接続されたモードで動作している無線装置のための通信要件の変更の表示を受信し、通信要件に基づいてデフォルトコンフィギュレーションのセットの中からデフォルトコンフィギュレーションを選択し、デフォルトコンフィギュレーションを無線装置に送信する。
【００１４】
さらに他の実施形態によれば、接続されたモードで動作している無線装置のための通信要件の変更の表示が受信される方法が提供される。デフォルトコンフィギュレーションは通信要件に基づいてデフォルトコンフィギュレーションのセットの中から選択され、無線装置に送信される。
【００１５】
さらに他の実施形態によれば、接続されたモードで動作している無線装置のための通信要件における変更の表示を受信する手段と、通信要件に基づいてデフォルトコンフィギュレーションのセットの中からデフォルトコンフィギュレーションを選択する手段と、デフォルトコンフィギュレーションを無線装置に送信する手段を含む装置が記載される。
【００１６】
さらに他の実施形態によれば、メモリとプロセッサーを含む装置が記載される。メモリはデフォルトコンフィギュレーションのセットを記憶する。プロセッサーはデフォルトコンフィギュレーションのためのアイデンティティを含むメッセージを受信し、アイデンティティに基づいてメモリからデフォルトコンフィギュレーションを取得し、メッセージがデフォルトコンフィギュレーションと選択されたコンフィギュレーションとの間の差異を含むかどうかを確認し、デフォルトコンフィギュレーションのための値を、もしあればメッセージで送信された差異と交換する。
【００１７】
さらに他の実施形態によれば、デフォルトコンフィギュレーションのためのアイデンティティを含むメッセージが受信される方法が提供される。デフォルトコンフィギュレーションはアイデンティティに基づいて（例えば、メモリから）取得される。メッセージがデフォルトコンフィギュレーションと選択されたコンフィギュレーションとの間の差異を含むかどうかの決定がなされる。デフォルトコンフィギュレーションのための値は、もしあればメッセージで送信された差異と交換される。
【００１８】
さらに他の実施形態によれば、デフォルトコンフィギュレーションのためのアイデンティティを含むメッセージを受信する手段と、アイデンティティに基づいてデフォルトコンフィギュレーションを取得する手段と、メッセージがデフォルトコンフィギュレーションと選択されたコンフィギュレーションとの間の差異を含むかどうかを確認する手段と、デフォルトコンフィギュレーションのための値を、もしあればメッセージで送信された差異と交換する手段を含む装置が記載される。
【００１９】
さらに他の実施形態によれば、デフォルトコンフィギュレーションのためのアイデンティティを含むメッセージを受信し、アイデンティティに基づいてデフォルトコンフィギュレーションを取得し、メッセージがデフォルトコンフィギュレーションと選択されたコンフィギュレーションとの間の差異を含むかどうかを確認し、デフォルトコンフィギュレーションのための値を、もしれあればメッセージで送信される差異と交換するように無線装置内で動作可能な命令を記憶するプロセッサー読み取り可能媒体が記載される。
【００２０】
さらに他の実施形態によれば、メモリとプロセッサーを含む装置が記載される。メモリはデフォルトコンフィギュレーションのセットを記憶する。プロセッサーは、接続されたモードで動作している無線装置のための通信要件における変更に応答してリコンフィギュレーションメッセージを受信し、リコンフィギュレーションメッセージからデフォルトコンフィギュレーションのためのアイデンティティを抽出し、アイデンティティに基づいてメモリからデフォルトコンフィギュレーションを取得し、通信のためにデフォルトコンフィギュレーションを使用する。
【００２１】
さらに他の実施形態によれば、接続されたモードで動作している無線装置のための通信要件の変更に応答してリコンフィギュレーションメッセージが受信される方法が提供される。デフォルトコンフィギュレーションのためのアイデンティティはリコンフィギュレーションメッセージから抽出される。デフォルトコンフィギュレーションはアイデンティティに基づいてメモリから取得され通信のために使用される。
【００２２】
さらに他の実施形態によれば、接続されたモードで動作している無線装置のための通信要件の変更に応答してリコンフィギュレーションメッセージを受信する手段と、リコンフィギュレーションメッセージからデフォルトコンフィギュレーションのためのアイデンティティを抽出する手段と、アイデンティティに基づいてメモリからデフォルトコンフィギュレーションを取得する手段と、通信のためにデフォルトコンフィギュレーションを使用する手段を含む装置が記載される。
【００２３】
この発明の種々の観点および実施形態は以下にさらに詳細に記載される。
【図面の簡単な説明】
【００２４】
【図１】図１はＵＭＴＳ地上波無線アクセスネットワーク（ＵＴＲＡＮ）を示す。
【図２】図２は３ＧＰＰリリース６により定義されるプロトコルスタックを示す。
【図３】図３はＵＥのための異なる状態とモードの状態図を示す。
【図４】図４はリコンフィギュレーション手続のためのシグナリングフローを示す。
【図５】図５は差分符号化を備えたデフォルトコンフィギュレーションを用いてリコンフィギュレーションメッセージを送信するプロセスを示す。
【図６】図６は、差分符号化を備えたデフォルトコンフィギュレーションを用いて送信されたリコンフィギュレーションメッセージを受信するためのプロセスを示す。
【図７】図７は例示リコンフィギュレーションメッセージを示す。
【図８】図８はＵＴＲＡＮと無線装置のブロック図を示す
【発明を実施するための形態】
【００２５】
「「例示」という用語はここでは、「例、インスタンス、または例証として機能すること」を意味するために使用される。「例示」としてここに記載される任意の実施形態は、他の実施形態に対して好適である又は利点があるとして必ずしも解釈される必要はない。
【００２６】
ここに記載された技術はここでは符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム等のような種々の無線通信システムに使用されてもよい。ＣＤＭＡシステムは、ワイドバンド−ＣＤＭＡ（Ｗ＝ＣＤＭＡ）、ｃｄｍａ２０００、等のような１つ以上のＣＤＭＡ無線アクセス技術（ＲＡＴｓ）を実施してもよい。ｃｄｍａ２０００はＩＳ−２０００、ＩＳ−８５６、およびＩＳ−９５規格をカバーする。ＴＤＭＡシステムは、モバイル通信のためのグローバルシステム（ＧＳＭ（登録商標）(登録商法））、デジタルアドバンストモバイルフォーンシステム（Ｄ−ＡＭＰ）等のような１つ以上のＴＤＭＡ  ＲＡＴｓを実施してもよい。これらの種々のＲＡＴｓおよび規格は技術的に知られている。Ｗ−ＣＤＭＡおよびＧＳＭ（登録商標）(登録商標）は「第三世代パートナーシッププロジェクト」（３ＧＰＰ）という名前の共同体からの文献に記載されている。ｃｄｍａ２０００は「第三世代パートナーシッププロジェクト２」（３ＧＰＰ２）とう名前の共同体からの文献に記載されている。３ＧＰＰと３ＧＰＰ２の文献は公に入手可能である。明確にするために、無線を介した通信のためにＷ−ＣＤＭＡを利用するユニバーサルモバイルテレコミュニケーションシステム（ＵＭＴＳ）のための技術は以下に記載される。
【００２７】
図１は、多数の無線装置と通信する多数の基地局を含むＵＭＴＳ地上波無線アクセスネットワーク（ＵＴＲＡＮ）を示す。簡単にするために、３つの基地局１１０と１つの無線装置１２０のみが図１に示される。基地局は固定局であり、またノードＢ、ベーストランシーバーサブシステム（ＢＴＳ）、アクセスポイント、またはその他の用語で呼ばれてもよい。各基地局は、特定の地理的領域に対して通信サービスエリアを提供する。
【００２８】
基地局および／またはそのサービスエリアは、その用語が使用される文脈に応じて「セル」と呼んでもよい。無線装置は固定されていてもよく又はモバイルであってもよく、また、ユーザー機器、移動局、端末、またはその他の用語で呼ばれてもよい。無線装置は、無線装置がアクティブであるかどうか、ソフトハンドオーバーがサポートされるかどうか、無線装置がソフトハンドオーバーしているかどうかに応じて、いつなんどきでもダウンリンクおよび／またはアップリンク上の１つ以上の基地局と通信してもよい。ダウンリンク（またはフォワードリンク）は基地局から無線装置への通信リンクを指し、アップリンク（リバースリンク）は無線装置から基地局への通信リンクを指す。無線ネットワークコントローラー（ＲＮＣ）１３０は基地局１１０に接続し、これらの基地局のための調整と制御を提供する。以下の記載において、無線装置はＵＥと呼ばれ、ネットワーク側（例えば、ノードＢｓおよびＲＮＣ）はＵＴＲＡＮと呼ばれる。
【００２９】
図２は３ＧＰＰリリース６により定義されるプロトコルスタック２００を示す。プロトコルスタック２００は無線リソース制御（ＲＲＣ）層２１０、無線リンク制御（ＲＬＣ）層２２０、媒体アクセス制御（ＭＡＣ）層２３０、物理層２４０を含む。ＲＲＣ層２１０は層３のサブレイヤーである。ＲＬＣ層２２０とＭＡＣ層２３０はしばしばデータリンク層と呼ばれる層２のサブレイヤーである。物理層２４０はしばしば層１と呼ばれる。
【００３０】
ＲＲＣ層は、ＵＥと、ＵＴＲＡＮがインターフェースするコアネットワーク（ＣＮ）との間のトラヒックメッセージおよびシグナリングメッセージをサポートする機能である、非アクセス層（ＮＡＳ）に情報転送サービスを提供する。また、ＲＲＣ層は層１および２のコンフィギュレーションの制御に関与する。ＲＬＣ層は、データ送信のための信頼性を提供しデータの自動再送信を実行する。ＲＬＣ層において、データは論理チャネルに属するものとして処理される。ＭＡＣ層は、論理チャネルをトランスポートチャネルにマップおよび／または多重化し、各トランスポートチャネルのためのデータを処理する（例えば、符号化し、インターリーブし、レートマッチングする）。物理層は、ＭＡＣ層のためにデータを送信し、より上位の層のためにシグナリングする機構を提供する。物理層はトランスポートチャネルを物理チャネルにマップし、各物理チャネルのためのデータを処理し（例えば、チャネル化およびスクランブルし）、および物理チャネルの各セットのための電力制御を実行する。
【００３１】
ネットワーク側では、物理層は典型的にノードＢｓで実施され、ＲＬＣ層、ＭＡＣ層、およびＲＲＣ層はＲＮＣで典型的に実施される。３ＧＰＰのための層は、種々の３ＧＰＰの文献に記載されている。
【００３２】
図３は、３ＧＰＰにおいてＵＥのための状態とモードの状態図３００を示す。
【００３３】
簡単にするために、状態図３００は、すべての可能な状態とモードではなく、関連のある状態とモードのみを示す。電源が入ると、ＵＥはセル選択をして、サービスを受信する適切なセルを見つける。次に、ＵＥは、ＵＥのために何らかの活動があるかどうかに応じておよびＵＥがＵＴＲＡＮまたはＧＳＭ（登録商標）(登録商標）／ＥＤＧＥ無線アクセスネットワーク（ＧＥＲＡＮ）と通信しているかどうかに応じて、アイドルモード３１０、ＵＴＲＡ  ＲＲＣ接続モード３２０、またはＧＳＭ（登録商標）(登録商標）接続モード３３０に遷移してもよい。アイドルモードにおいて、ＵＥはネットワークに登録されており、ページングメッセージを聞いており、必要なときにネットワークでそのロケーションを更新する。ＵＥは、ＵＴＲＡＮがＵＴＲＡ  ＲＲＣ接続モードにあり、ＧＥＲＡＮがＧＳＭ（登録商標）(登録商標）接続モードにある状態で、その状態とコンフィギュレーションに応じて、データを受信および／または送信することができる。ＵＥは、ＵＭＴＳとＧＳＭ（登録商標）(登録商標）との間のハンドオーバーのためにＵＴＲＡ  ＲＲＣ接続モードとＧＳＭ（登録商標）（登録商標）接続モードとの間で遷移してもよい。
【００３４】
ＵＴＲＡ  ＲＲＣ接続モードにいる間、ＵＥは、４つの可能なＲＲＣ状態の１つにいてもよい。すなわち、ＣＥＬＬ＿ＤＣＨ状態３２２、ＣＥＬＬ＿ＦＡＣＨ状態３２４、ＣＥＬＬ＿ＰＣＨ状態３２６、またはＵＲＡ＿ＰＣＨ状態３２８である。この場合ＤＣＨは専用トランスポートチャネルを示し、ＦＡＣＨはフォワードアクセスチャネルを示し、ＰＣＨはページングチャネルを示し、ＵＲＡはＵＴＲＡＮ登録領域を示す。表１は４つのＲＲＣ状態のための短い記述を提供する。モードと状態は、３ＧＰＰ  ＴＳ  ２５．３３１  Ｖ６．２に詳細に記載される。
【表１】
0005583748.tif 000002
【００３５】
ＵＥは、（１）確立ＲＲＣ接続手続を実行することによりアイドルモードからＣＥＬＬ＿ＤＣＨ状態またはＣＥＬＬ＿ＦＡＣＨ状態に遷移してもよく、および（２）リリースＲＲＣ接続手続を実行することによりＣＥＬＬ＿ＤＣＨ状態またはＣＥＬＬ＿ＦＡＣＨ状態からアイドルモードに遷移してもよい。ＵＥは（１）リコンフィギュレーション手続を実行することによりＵＴＲＡ  ＲＲＣ  接続モードにおいて、ＣＥＬＬ＿ＤＣＨ状態またはＣＥＬＬ＿ＦＡＣＨ状態から他の状態に遷移してもよいし、また、（２）リコンフィギュレーション手続を実行することによりＣＥＬＬ＿ＤＣＨ状態における異なるコンフィギュレーション間で遷移してもよい。ＵＴＲＡＮはＵＥの活動に基づいて、ＵＴＲＡ  ＲＲＣ  接続モード内の４つの状態の１つにいるように命令してもよい。接続とリコンフィギュレーションの手続は３ＧＰＰ  ＴＳ  ２５．３３１  Ｖ６．２に記載されている。図３において、リコンフィギュレーションが実行される遷移は単一の矢を備えた実線により示され、リコンフィギュレーションが実行されない遷移は、単一の矢を備えた破線で示される。
【００３６】
３ＧＰＰは、無線ベアラー(bearer)（ＲＢ）リコンフィギュレーション、トランスポートチャネル（ＴｒＣＨ）リコンフィギュレーションおよび物理チャネルリコンフィギュレーションのためのリコンフィギュレーション手続を定義する。無線ベアラーはＵＥとＵＴＲＡＮの間のトラヒックデータの転送のために層２により提供されるサービスである。１つまたは複数の無線ベアラーはＵＥおよびＵＴＲＡＮにおいて層２上のピアエンティティにより維持されてもよい。各無線ベアラーは論理チャネル、トランスポートチャネルおよび物理チャネルのための特定のコンフィギュレーションに関連する。例えば、各無線ベアラーのためのコンフィギュレーションは、使用すべき特定のチャネル、各チャネルのためのレート、物理チャネルのためのチャネル化コード（ＯＶＳＦコード）等を記載してもよい。各無線ベアラーのためのコンフィギュレーションはＵＥにおける活動の量に依存する。例えば、ＵＥは、（１）ＵＥが送信すべきまたは受信すべきデータを有するならＣＥＬＬ＿ＤＣＨ状態に置かれてもよいし、または（２）ＵＥが送信すべきまたは受信すべきデータを有さないならＣＥＬＬ＿ＦＡＣＨに置かれてもよい。活動の量が変化するなら、ＵＥもまたそのコンフィギュレーションを変化してもよい。ＵＥのコンフィギュレーションにおける変更は、リコンフィギュレーション手続を実行することにより達成されてもよい。
【００３７】
図４はリコンフィギュレーション手続のためのシグナリングフロー４００を示す。ＵＴＲＡＮは、（１）新しいコンフィギュレーションのための関連情報、例えばトランスポートチャネルと物理チャネルのための新しいパラメーター値、および（２）リコンフィギュレーションが印加される時間である活動時間を含んでいてもよいリコンフィギュレーションメッセージを送信することによりリコンフィギュレーション手続を開始する。ＵＴＲＡＮは自身によってまたはＵＥからシグナリングを受信することに応答してリコンフィギュレーションを開始してもよい。成功裏にリコンフィギュレーションメッセージを受信すると、ＵＥは変更されているチャネル（複数の場合もある）のリコンフィギュレーションを実行する。ＵＴＲＡＮは同様に変更されたチャネル（複数の場合もある）のリコンフィギュレーションを実行する。次に、ＵＥはリコンフィギュレーションが（図４に示すように）成功するならリコンフィギュレーション完了メッセージを送信する。または（図４に示されていないが）リコンフィギュレーションが成功しないなら、リコンフィギュレーション失敗メッセージを送信する。
【００３８】
どのリコンフィギュレーション手続が実行されているかに応じてＵＴＲＡＮとＵＥにより異なるメッセージが送信されてもよい。例えば、無線ベアラーリコンフィギュレーションおよび無線ベアラーリコンフィギュレーション完了メッセージは無線ベアラーリコンフィギュレーションのために送信されてもよいし、トランスポートチャネルリコンフィギュレーションおよびトランスポートチャネルリコンフィギュレーション完了メッセージはトランスポートチャネルリコンフィギュレーションのために送信されてもよいし、物理チャネルリコンフィギュレーションと物理チャネルリコンフィギュレーション完了メッセージは物理チャネルリコンフィギュレーションのために送信されてもよい。図４のリコンフィギュレーションメッセージとリコンフィギュレーション完了メッセージは、上述したメッセージペアまたはその他のメッセージペアのいずれか１つに相当してもよいジェネリックメッセージであるように意図される。
【００３９】
以下に記載するように、リコンフィギュレーションメッセージは典型的に通信に対して関連する種々のパラメーターのための種々の情報エレメント（ＩＥｓ）を含む。例えば、無線ベアラーリコンフィギュレーションメッセージは、ＵＥ情報エレメント、ＣＮ情報エレメント、ＵＴＲＡＮモビリティ情報エレメント、ＲＢ情報エレメント、ダウンリンクおよびアップリンクトランスポートチャネルのためのＴｒＣＨ情報エレメント等を含んでいてもよい。リコンフィギュレーションメッセージは典型的に非常に大きい。
【００４０】
リコンフィギュレーションメッセージは、全体のメッセージサイズに応じて、ＲＬＣ層において１つまたは複数のプロトコルデータユニット（ＰＤＵｓ）として処理されてもよい。各ＰＤＵは１送信時間間隔（ＴＴＩ）で送信されてもよい。ＴＴＩはシグナリングに対して典型的に４０ミリ秒（ｍｓ）である。ＵＴＲＡＮは一度全体のリコンフィギュレーションメッセージを送信する。ＵＥは正しく受信されない各ＰＤＵのためにネガティブアクノレジメント（ＮＡＫ）を送信し、ＵＴＲＡＮはＵＥがＰＤＵを正しく受信するまで１回以上ＰＤＵを再送信してもよい。表２は異なる数のＰＤＵｓに対しておよび異なる数の再送信に対してエラーでリコンフィギュレーションメッセージを受信する確率を示す。表２は、任意の与えられたＰＤＵをエラーで受信する確率は５％であり、任意のＮＡＫをエラーで受信する確率は５％であり、ＵＥはメッセージに対してすべてのＰＤＵｓを正しく受信する必要があると仮定する。
【表２】
0005583748.tif 000003
【００４１】
表２に示される例の場合、ＵＥは、メッセージが２つのＰＤＵｓまたはそれより少ないＰＤＵで構成されるなら１回の再送信の後で、およびメッセージが３つ以上のＰＤＵｓで構成されるなら２つの再送信の後で９９％の確率またはそれ以上の確率（これは、１％またはそれを下回るメッセージエラーの確率に相当する）でリコンフィギュレーションメッセージを正しく受信する。各ＰＤＵは４０−ｍｓＴＴＩで送信されてもよく、再送信のための遅延は２００ｍｓであってもよく、ＵＥにおける処理時間は１００ｍｓであってもよい。この場合、（１つの再送信で）２つのＰＤＵｓを備えたメッセージのための合計送信および処理時間は、以下のように計算されてもよい。すなわち、送信のための（２×４０）＝８０ｍｓ＋再送信遅延のための２００ｍｓ＋ＵＥ処理時間のための１００ｍｓ＝３８０ｍｓ合計遅延である。（２つの再送信で）８つのＰＤＵｓを備えたメッセージのための合計送信および処理時間は以下のように計算されてもよい。すなわち、送信のための（８×４０）＝３２０ｍｓ＋２つの再送信のための４００ｍｓ＋ＵＥ処理時間のための１００ｍｓ＝８２０ｍｓ合計遅延である。リコンフィギュレーションメッセージサイズは、３ＧＰＰリリース６およびそれ以前の場合しばしば４乃至８ＰＤＵｓである。
【００４２】
リコンフィギュレーションは、リコンフィギュレーションメッセージで示される活動時間で実施される。ＵＴＲＡＮは、ＵＥによる正しい受信の与えられた所望の確率を達成するために、メッセージの十分な数の送信および再送信を許容するために遠く将来に十分に活動時間を設定してもよい。活動時間の後でメッセージが正しく受信されるなら、リコンフィギュレーション手続は失敗するであろう。そして一部の例では、（例えば、圧縮モードパターンのリコンフィギュレーションの場合）、無線リンクの失敗があるであろう。上述した例の場合、ＵＴＲＡＮはリコンフィギュレーションメッセージが２つのＰＤＵｓで構成されるなら将来活動時間を３８０ｍｓに設定してもよく、メッセージが８つのＰＤＵｓで構成されるなら活動時間を将来８２０ｍｓに設定してもよい。これらの活動時間は、ＵＥが９９％またはそれより良い確率でリコンフィギュレーションメッセージを正しく受信するであろうことを保証する。活動時間はさらに将来に、正しい受信のより高い（例えば、９９．９％）確率を達成するために設定されてもよい。
【００４３】
リコンフィギュレーションメッセージのための送信時間はリコンフィギュレーション手続のための合計時間の極めて重要な部分であるかもしれない。上述した例の場合、（２つのＰＤＵｓを備えた）短いメッセージのための送信時間は３８０ｍｓであり、（８つのＰＤＵｓを備えた）長いメッセージのための送信時間は８２０ｍｓである。短いメッセージのための送信時間と長いメッセージのための送信時間との間の差は４４０ｍｓである。従って、リコンフィギュレーション手続のための合計時間は、短いリコンフィギュレーションメッセージを送信することによりかなり量低減されるかもしれない。上述の解析は、ＵＴＲＡＮにおいてＡＳＮ．１符号化を実行するのに必要な時間量およびＵＥにおいてＡＳＮ．１でコーディングを実行するのに必要な時間量を考慮していない。これは、長いメッセージに対して短いメッセージを送信するとき、さらなる時間の低減を生じるかもしれない。
【００４４】
それゆえ、メッセージを成功裏に配信するための時間量を最小化する目標を達成するためにより短いリコンフィギュレーションメッセージが非常に望ましい。
【００４５】
通信のために共通に使用されるコンフィギュレーションに対してデフォルトコンフィギュレーションのセットが定義されてもよい。各デフォルトコンフィギュレーションはパラメーター又は情報エレメントの特定のセットのための固有のアイデンティティおよび特定の値に関連していてもよい。また、アイデンティティは識別子、インデックス等と呼ばれてもよい。与えられたデフォルト構成は、メッセージ内のこのデフォルト構成に対して（すべての情報エレメントの代わりに）アイデンティティのみを含むことによりリコンフィギュレーションメッセージで効率的に送信されてもよい。デフォルトコンフィギュレーションの使用はメッセージサイズを大幅に低減するかもしれない。これはリコンフィギュレーションのための合計時間を短くするかもしれない。
【００４６】
デフォルトコンフィギュレーションのセットは、例えば、会話クラス、ストリーミングクラス、対話型クラスおよび背景クラスのようなサービスの異なるクラスに対して定義されてもよい。会話クラスは、情報エンティティ間の時間的関係を保存するために厳しくかつ低い遅延および制限された遅延変化により特徴づけられる。そのようなトラヒックをもついくつかのアプリケーションは音声、ビデオ、およびビデオ会議である。ストリーミングクラスは制限された遅延変化により特徴づけられ、そのようなトラヒックをもついくつかの例示アプリケーションはファクシミリ、およびストリーミングオーディオおよびビデオである。対話型クラスは要求／応答パターンおよびペイロードコンテンツ（または低パケットエラーレート）の保存により特徴づけられる。そのようなトラヒックをもつ例示アプリケーションはウエブブラウジングである。背景クラスは相対的に無感覚な配信時間とペイロードコンテンツの保存により特徴づけられる。そのようなトラヒックをもつ典型的なアプリケーションはｅメールの背景ダウンロードである。
【００４７】
一実施形態において、これらのコンフィギュレーションは待ち時間に関して典型的に最も要求が厳しいので、会話クラスのためのデフォルトコンフィギュレーションが最初に定義される。次に、ストリーミングクラス、対話型クラスおよび背景クラスのためのデフォルトコンフィギュレーションが必要に応じて定義されてもよい。この実施形態はデフォルトコンフィギュレーションセットのサイズを縮小してもよい。他の実施形態において、ＴＳ  ２５．９９３  Ｖ６．１０に記載されたコンフィギュレーションが考察されてもよく、これらのコンフィギュレーションのサブセットは、デフォルトコンフィギュレーションのセットとして選択されてもよい。さらに他の実施形態において、表３にリストアップされる、ＴＳ  ２５．３３１  Ｖ６．２に記載されたデフォルトコンフィギュレーションは、デフォルトコンフィギュレーションとして使用されてもよい。表３において、ＣＳは回路交換を表す。ＴＳ  ２５．３３１  Ｖ６．２のデフォルトコンフィギュレーションは通常（１）アイドルモードから接続モードに遷移したときＲＲＣ接続確立のために使用され、（２）ＧＳＭ（登録商標）からＵＭＴＳへのハンドオーバーのために使用される。
【００４８】
一般に、各デフォルトコンフィギュレーションは情報エレメントの特定のセットのための特定のデフォルト値に関連する。表３に示されるデフォルトコンフィギュレーションのための情報エレメントとデフォルト値はＴＳ  ２５．３３１  Ｖ６．２、セクション１３．７で与えられる。表３−ＴＳ  ２５．３３１におけるデフォルトコンフィギュレーション
【表３】
0005583748.tif 000004
【００４９】
デフォルトコンフィギュレーションのどのセットが使用のために選択されるかに関わらず、使用のために選択されたコンフィギュレーションがデフォルトコンフィギュレーションセットに含まれていない多くのインスタンスがあってもよい。各そのようなインスタンスにおいて、選択されたコンフィギュレーションは、このコンフィギュレーションのための情報エレメントのすべてを含むリコンフィギュレーションメッセージを送信することにより伝達されてもよい。上述したように、このリコンフィギュレーションメッセージのための送信時間は長いかもしれない。
【００５０】
１つの観点において、差分符号化は、デフォルトコンフィギュレーションセットに含まれていない選択されたコンフィギュレーションのために使用されてもよい。差分符号化は、デフォルトコンフィギュレーションのいずれとも正確に一致しない選択されたコンフィギュレーションの効率的な送信を可能にさせる。これは、（１）選択されたコンフィギュレーションと最も密接に一致するデフォルトコンフィギュレーションのためのアイデンティティを送信することにより、および（２）選択されたコンフィギュレーションとデフォルトコンフィギュレーションとの間の差異を送信することにより達成される。
【００５１】
一般に、選択されたコンフィギュレーションは、最小シグナリング、部分シグナリングまたは全部のシグナリングを用いて送信されてもよい。最小のシグナリングの場合、デフォルトコンフィギュレーションのアイデンティティのみが送信される。部分シグナリングの場合、デフォルトコンフィギュレーションのアイデンティティと、選択されたコンフィギュレーションとデフォルトコンフィギュレーションとの間の差異が送信される。全部のシグナリングの場合、完全な選択されたコンフィギュレーションが送信される。
【００５２】
図５は差分符号化を備えたデフォルトコンフィギュレーションを用いてリコンフィギュレーションメッセージを送信するためのプロセス５００の一実施形態を示す。通信に使用するコンフィギュレーションが最初に選択される（ブロック５１２）。コンフィギュレーションは、データレートの変更、サービスの変更、ＱｏＳの変更、ＵＴＲＡ  ＲＲＣ接続モード内の状態の変更、アイドルモードからＵＴＲＡ  ＲＲＣ接続モードまたはＧＳＭ（登録商標）接続モードへの遷移、一方のＲＡＴから他方のＲＡＴへのハンドオーバー（例えば、ＧＳＭ（登録商標）からＵＭＴＳに、またはＵＭＴＳからＧＳＭ（登録商標）に）等、またはそれらの組み合わせに起因してもよい、ＵＥのための通信要件の変更に応答して選択されてもよい。コンフィギュレーションは、ＵＥのための通信要件、ネットワークローディング、および／または他のファクターに基づいてＵＴＲＡＮにおいて無線リソース管理エンティティにより選択されてもよい。
【００５３】
次に、選択されたコンフィギュレーションがデフォルトコンフィギュレーションの１つであるかどうかの決定がなされる（ブロック５１４）。ブロック５１６で決定されるように、選択されたコンフィギュレーションがデフォルトコンフィギュレーションであるなら、リコンフィギュレーションメッセージはデフォルトコンフィギュレーションのためのアイデンティティのみを用いて効率的に形成され、選択されたコンフィギュレーションは最小のシグナリングで送信される（ブロック５１８）。
【００５４】
選択されたコンフィギュレーションがデフォルトコンフィギュレーションではなく、ブロック５１６に対する答えが「Ｎｏ」であるなら、選択されたコンフィギュレーションに最も密接に似ているデフォルトコンフィギュレーションが識別される（ブロック５２０）。
【００５５】
選択されたコンフィギュレーションとデフォルトコンフィギュレーションとの間の差異が確認される（ブロック５２２）。差異は１つのまたは複数の情報エレメント内にあってもよい。次に、全体の選択されたコンフィギュレーションを送信することとは対照的に選択されたコンフィギュレーションを区別をつけて符号化するほうがより効率的であるかどうかの決定がなされる（ブロック５２４）。区別をつけて符号化することがより効率的であるなら、リコンフィギュレーションメッセージは、デフォルトコンフィギュレーションのためのアイデンティティと確認されたメッセージに基づいて形成され、選択されたコンフィギュレーションは部分シグナリングで送信される（ブロック５２６）。そうでなければ、リコンフィギュレーションメッセージは選択されたコンフィギュレーションのための情報エレメントのすべてを用いて形成され、選択されたコンフィギュレーションは完全シグナリングで送信される（ブロック５２８）。次に、リコンフィギュレーションメッセージはＵＥに送信される（ブロック５３０）。
【００５６】
図５はデフォルトコンフィギュレーションおよび差分符号化を用いてリコンフィギュレーションメッセージを発生するための特定のプロセスを示す。また、差分符号化は他の方法で実行されてもよい。例えば、ＵＥのための通信要件を最も密接に満足するデフォルトコンフィギュレーションはデフォルトコンフィギュレーションセットから選択されてもよい。このデフォルトコンフィギュレーションは必要に応じて通信要件を満足するように変更されてもよい。その変更は選択されたコンフィギュレーションとデフォルトコンフィギュレーションとの間の差異を表すであろう、そして部分シグナリングで送信されてもよい。
【００５７】
図６は差分符号化を備えたデフォルトコンフィギュレーションを用いて送信されたリコンフィギュレーションメッセージを受信するためにＵＥにより実行されるプロセス６００の一実施形態を示す。リコンフィギュレーションメッセージは最初にＵＴＲＡＮから受信される（ブロック６１２）。リコンフィギュレーションメッセージがデフォルトコンフィギュレーションのためのアイデンティティを含むかどうかの決定がなされる（ブロック６１４）。答えが「Ｙｅｓ」であるなら、アイデンティティに基づいてデフォルトコンフィギュレーションが（例えばＵＥ内のメモリから）取得され、デフォルトコンフィギュレーション内の情報エレメントのためのデフォルト値が確認される（ブロック６１６）。次に、リコンフィギュレーションメッセージが任意のさらなる情報エレメントを含んでいるかどうかの決定がなされる（ブロック６１８）。答えが「Ｎｏ」であるなら、選択されたコンフィギュレーションは最小シグナリングで送信され、デフォルトコンフィギュレーションは選択されたコンフィギュレーションとして供給される（ブロック６２０）。そうでなければ、ブロック６１８に対する答えが「Ｙｅｓ」であるなら、選択されたコンフィギュレーションは部分シグナリングで送信され、リコンフィギュレーションメッセージで送信された情報エレメントが抽出される（ブロック６２２）。デフォルトコンフィギュレーション内の対応する情報エレメントのためのデフォルト値は、抽出された情報エレメントのための値と交換される（ブロック６２４）。デフォルトコンフィギュレーション内の全ての他の情報エレメントのデフォルト値が保持される。ブロック６１４に戻って、デフォルトコンフィギュレーションがリコンフィギュレーションメッセージで送信されないなら、選択されたコンフィギュレーションは完全シグナリングで送信され、選択されたコンフィギュレーションのための情報エレメントはメッセージから抽出される（ブロック６２６）。選択されたコンフィギュレーションがどのように送信されたかに関わらず、選択されたコンフィギュレーションは通信のために使用される（ブロック６３０）。
【００５８】
差分符号化を備えたデフォルトコンフィギュレーションの使用は、選択されたコンフィギュレーションがデフォルトコンフィギュレーションとわずかに異なる場合にシグナリング量を大幅に減少してもよい。一例として、ＵＴＲＡＮは「ＲＬＣ  Ｉｎｆｏ」情報エレメントの値を除いて、デフォルトコンフィギュレーションと同一であるコンフィギュレーションを選択してもよい。この場合、ＵＴＲＡＮは、デフォルトコンフィギュレーションのアイデンティティと、所望の値を備えた「ＲＬＣ  Ｉｎｆｏ」情報エレメントのみをＵＥに送信してもよい。ＵＥはアイデンティティに基づいてデフォルトコンフィギュレーションを得るであろう、そして「ＲＬＣ  Ｉｎｆｏ」のコンテンツをＵＴＲＡＮから受信した値と交換するまたは上乗せするであろう。差分符号化を用いた場合、単一のパラメーターまたは少数のパラメーターがデフォルトコンフィギュレーションに対して変更されるなら、完全コンフィギュレーションのかわりに変更されたパラメーター（複数の場合もある）のみが送信される。
【００５９】
図７は差分符号化を備えたデフォルトコンフィギュレーションをサポートする例示リコンフィギュレーションメッセージ７００を示す。この実施形態の場合、メッセージ７００は、デフォルトコンフィギュレーションのためのアイデンティティ、ＵＥに特定のパラメーターを運ぶ情報エレメント７２０、コンフィギュレーション情報のための情報エレメント７３０を運ぶ情報エレメント７１０を含む。所定のレベルにある情報エレメントが次に低いレベルにある１つ以上の情報エレメントを含んでもよい入れ子になったメッセージ構造が使用されてもよい。ＵＥに特定のパラメーターは、ＵＥと異なる可能性のあるパラメーターであり、それゆえデフォルトコンフィギュレーションでカバーされる代わりにリコンフィギュレーションメッセージで明示的に送信されてもよい。ＵＥに特定のパラメーターの例はＵＥに割り当てられた物理チャネルのためのＯＶＳＦコードである。２つのＵＥは同時に同じＯＶＳＦコードを使用しないので、このパラメーターはリコンフィギュレーションメッセージで明示的に送信されてもよい。情報エレメント７３０は（１）最小シグナリングのために省略されてもよい、（２）部分シグナリングのために選択されたコンフィギュレーションとデフォルトコンフィギュレーションとの間の差異を備えた１つ以上の情報エレメントを運んでもよい、または（３）完全シグナリングのために選択されたコンフィギュレーションの情報エレメントのすべてを運んでもよい。
【００６０】
表４、５、および６はリコンフィギュレーションメッセージに含まれていてもよい種々の情報エレメントをリストアップする。これらの情報エレメントはＴＳ  ２５．３３１  Ｖ６．２．０に記載される。表４、５、および６が示すように、多くの情報エレメントは完全シグナリングで送信される必要があるかもしれないのに対して唯一のまたは少数の情報エレメントは部分シグナリングで送信される。これはメッセージサイズを大幅に短くすることができる。
【表４】
0005583748.tif 000005
【表５】
0005583748.tif 000006
【表６】
0005583748.tif 000007
【００６１】
３ＧＰＰリリース６に定義されたＡＳＮ．１符号化を用いたデフォルトコンフィギュレーションの例示実施を以下に示す。但し、「ｒ６」および「Ｒ６」は３ＧＰＰリリース６を表す。
【数１】
0005583748.tif 000008
【００６２】
上記の実施において「ＣＨＯＩＣＥ」は、ＮのデフォルトコンフィギュレーションのためのＮの値の１つを獲得することができる情報エレメントである。但しＮ＞１である。「parameterUEspecific」情報エレメントは、ＵＥに特定のパラメーターを持ち、「ParametersUEspecific」構造により定義されるフォーマットを有する。「r6message-IEs」情報エレメントは選択された構成のための情報エレメントを持ち、「R6message-IEs」構造により定義されるフォーマットを有する。「R6message-IEs」構造は、「InformationElementM」構造を介して「rnformationElement」により定義されるフォーマットを有するＭのオプションの情報エレメントのシーケンスである。
【００６３】
デフォルトコンフィギュレーションが使用されないなら、「ＣＨＯＩＣＥ」情報エレメントはリコンフィギュレーションメッセージ内に含まれないであろう。リコンフィギュレーションメッセージを送信する通常の方法が使用されるであろう。そしてこのメッセージは、「r6message-IEs」情報エレメント内の関連のある情報エレメントのすべてを含むであろう、そしてさらに「parametersUEspecific」情報エレメントを含んでもよい。
【００６４】
デフォルトコンフィギュレーションが使用されるなら、デフォルトコンフィギュレーションは、「ＣＨＯＩＣＥ」情報エレメントにより示されるであろう。必要ならＵＥに特定のパラメーターは、「parametersUEspecific」情報エレメントに含まれるであろう。「r6message-IEs」情報エレメントは、デフォルトコンフィギュレーションのためのデフォルト値とは異なる値を送信するために使用されてもよい。例えば、これが、デフォルト構成と異なる唯一の情報エレメントであるなら、「informationElement2」のみがリコンフィギュレーションメッセージに含まれるであろう。
【００６５】
デフォルトコンフィギュレーションのセットは種々の理由により時間に対して変化してもよい。例えば、いくつかのデフォルトトコンフィギュレーションは、任意のＵＴＲＡＮにより使用されないかもしれず、これらのコンフィギュレーションを除去することが望ましいかもしれない。他の例として、有用な他の構成を含むようにセットを拡張することは望ましいかもしれない。一実施形態において、あたらしいコンフィギュレーションは、新しいリリースのためにデフォルトコンフィギュレーションセットに追加されてもよいが、セットにすでに含まれているコンフィギュレーションは除去されない。この実施形態の場合新しいリリースのためのデフォルトコンフィギュレーションセットは従前のリリースのためのデフォルトコンフィギュレーションのスーパーセットであり、従前のリリースのためのデフォルトコンフィギュレーションと下位互換性がある。デフォルトコンフィギュレーションは「永続的である」という事実は、デフォルトコンフィギュレーションに含ませるためのコンフィギュレーションの選択において考慮されてもよい。この実施形態はデフォルトコンフィギュレーションの使用を単純化してもよいし、また相互運用テストを単純化してもよい。他の実施形態において、デフォルトコンフィギュレーションのセットは、あたらしいリリース毎に定義されてもよいし、デフォルトコンフィギュレーションバージョンが割り当てられてもよい。ＵＥはＵＥによりサポートされたリリースのためのデフォルトコンフィギュレーションのセットを記憶してもよい。ＵＴＲＡＮは、例えば、これらのデフォルトコンフィギュレーションを効率的に記憶するように設計されたデータ構造において、ＵＴＲＡＮによりサポートされる異なるリリースのためのデフォルトコンフィギュレーションの異なるセットを記憶してもよい。ＵＥ毎に、ＵＴＲＡＮはそのＵＥによりサポートされるデフォルトコンフィギュレーションのセットを使用する。
【００６６】
差分符号化を備えたデフォルトコンフィギュレーションのためのサポートは、ＵＥのみに対してまたはＵＴＲＡＮのみに対してまたはＵＥとＵＴＲＡＮの両方に対して強制的に行われてもよい。
【００６７】
図８はＵＴＲＡＮと無線装置（ＵＥ）１２０の一実施形態を示す。ＵＴＲＡＮにおける各処理ユニットはノードＢまたはＲＮＣに常駐してもよい。ダウンリンク上で、ＵＴＲＡＮにおける送信（ＴＸ）データプロセッサー８１０はＵＥ１２０のためのシグナリングとデータをフォーマット化し、符号化し、インターリーブする。変調器（ＭＯＤ）８１２はＴＸデータプロセッサー８１０からの出力をチャネル化／拡散し、スクランブルし、変調し、チップのストリームを供給する。シグナリングとデータのための処理は３ＧＰＰ  ＴＳ  ２５．３２１、ＴＳ  ２５．３０８、ＴＳ  ２５．２１２および他の３ＧＰＰ文献に記載されている。送信機ユニット（ＴＭＴＲ）８１４はチップのストリームをアナログ信号に変換し、アナログ信号を増幅し、フィルターし、周波数アップコンバートし、ダウンリンク信号を発生する。ダウンリンク信号はアンテナ８１６を介して送信される。ＵＴＲＡＮはシグナリングおよびデータを複数のＵＥｓに同時に送信することができるが、これは簡単化のために図８には示していない。
【００６８】
ＵＥ１２０において、アンテナ８５２はダウンリンク信号を受信し、受信した信号を受信機ユニット（ＲＣＶＲ）８５４に供給する。受信機ユニット８５４は受信した信号をフィルターし、増幅し、周波数ダウンコンバートし、デジタル化し、データサンプルを供給する。復調器（ＤＥＭＯＤ）８５６はデータサンプルをデスクランブルし、チャネル化／逆拡散し、復調して、シンボル推定値を供給する。復調器８５６は、受信した信号の複数のインスタンス（またはマルチパス成分）を処理することができるレーキ受信機を実施してもよい。受信（ＲＸ）データプロセッサー８５８はシンボル推定値をデインターリーブしてデコードし、受信したＰＤＵｓをチェックし、デコードされたデータを供給する。
【００６９】
復調器８５６とＲＸデータプロセッサー８５８による処理は、それぞれ変調器８１２とＴＸデータプロセッサー８１０による処理に相補的である。ＵＴＲＡＮとＵＥはＵＥのために構成されたダウンリンク論理チャネル、トランスポートチャネル、および物理チャネルに従ってダウンリンク送信のための処理を実行する。
【００７０】
アップリンク上において、シグナリングとデータは、ＴＸデータプロセッサー８７０により処理され、変調器８７２によりさらに処理され、送信機ユニット８７４により条件付けされ、アンテナ８５２を介して送信される。ＵＴＲＡＮにおいて、アップリンク信号はアンテナ８１６により受信され、受信機ユニットにより条件付けされ、復調器８３２により処理され、ＲＸデータプロセッサー８３４によりさらに処理され、アップリンクシグナリングおよびデータをリカバーする。ＵＴＲＡＮとＵＥは、ＵＥのために構成されたアップリンク論理チャネル、トランスポートチャネル、および物理チャネルに従ってアップリンク送信のための処理を実行する。
【００７１】
コントローラー／プロセッサー８２０および８６０は、それぞれＵＴＲＡＮとＵＥにおける動作を制御する。メモリ８２２と８６２は、それぞれコントローラー／プロセッサー８２０と８６０により使用されるデータとコードを記憶する。図８は、コントローラー／プロセッサー８２０および８６０により実施されているＲＲＣ層と、ＴＸデータプロセッサー８１０および８７０とＲＸデータプロセッサー９３４および８５８により実施されているＲＬＣおよびＭＡＣ層と、変調器８１２および８７２と復調器８３２および８５６により実施されている物理層（層１)とを示す。一般に、これらの層は、図８に示される処理ユニットのいずれかにより実施されてもよい。
【００７２】
リコンフィギュレーションの場合、ＵＴＲＡＮはリコンフィギュレーションメッセージをＵＥに送信する。コントローラー／プロセッサー８２０および８６０はそれぞれＵＴＲＡＮとＵＥにおいてリコンフィギュレーションを実行する。リコンフィギュレーションを完了すると、ＵＥはリコンフィギュレーション完了メッセージをＵＴＲＡＮに送信する。
【００７３】
明確にするために、差分符号化を備えたデフォルトコンフィギュレーションを使用するための技術は、主に、ＵＴＲＡＮにおけるリコンフィギュレーションのために記載された。一般に、これらの技術は、呼を構成するために、呼を再構成するために等のために使用されてもよい。また、呼はセッションまたはその他の用語で呼んでもよい。また、これらの技術は（他のＣＤＭＡ規格を実施してもよい）他のＣＤＭＡネットワークおよび他のタイプの無線通信ネットワーク（例えば、ＴＤＭＡネットワークおよびＦＤＭＡネットワーク）のために使用されてもよい。
【００７４】
ここに記載された技術は種々の手段により実施されてもよい。例えば、これらの技術はハードウエア、ソフトウエア、またはそれらの組み合わせにおいて実施されてもよい。ハードウエア実施の場合、ネットワーク側において呼を構成または再構成するために使用される処理ユニットは、１つ以上の特定用途向け集積回路（ＡＳＩＣｓ）、デジタルシグナルプロセッサー（ＤＳＰｓ）、デジタルシグナル処理装置（ＤＳＰＤｓ）、プログラマブル論理装置（ＰＬＤｓ）、フィールドプログラマブルゲートアレイ（ＦＰＧＡｓ）、プロセッサー、コントローラー、マイクロコントローラー、マイクロプロセッサー、電子装置、またはここに記載された機能を実行するように設計された他の電子装置、またはそれらの組み合わせ内において実施されてもよい。また、ＵＥにおける処理ユニットは１つ以上のＡＳＩＣｓ，ＤＳＰｓ、プロセッサー等内で実施されてもよい。
【００７５】
ソフトウエア実施の場合、ここに記載された技術はここに記載された機能を実行するモジュール（例えば、手続、機能等）で実施されてもよい。ソフトウエアコードは、メモリユニット（例えば、図８のメモリユニット８２２または８６２）に記憶されてもよく、プロセッサー（例えば、プロセッサー８２０または８６０）により実行されてもよい。メモリユニットはプロセッサー内部またはプロセッサー外部で実施されてもよい。プロセッサー外部で実施される場合、メモリユニットは、技術的に知られている種々の手段を介してプロセッサーに通信可能に接続することができる。
【００７６】
開示された実施形態の従前の記載は、当業者がこの発明を製作または使用可能にするために提供される。これらの実施形態に対する種々の変更は当業者に容易に明白であり、ここに定義された包括的原理はこの発明の精神または範囲を逸脱することなく他の実施形態に適用されてもよい。従って、この発明は、ここに示される実施形態に限定されることを意図したものではなく、ここに開示された原理および新規な特徴と一致する最も広い範囲が許容されるべきである。
【図１】
0005583748.tif 000009
【図２】
0005583748.tif 000010
【図３】
0005583748.tif 000011
【図４】
0005583748.tif 000012
【図５】
0005583748.tif 000013
【図６】
0005583748.tif 000014
【図７】
0005583748.tif 000015
【図８】
0005583748.tif 000016